(57)【要約】【課題】リンク情報を含むリソースを印刷する場合の無駄な印刷を削減することと、全ての印刷ページからリンク先のリソースの印刷ページを容易に見つけることができる印刷システムを提供することを目的とする。【解決手段】所定の通信プロトコルに従ってネットワーク通信を行うネットワークに接続された，クライアントコンピュータと各種のリソースを保有するサーバーコンピュータと、前記リソースを印刷する印刷装置から構成される印刷システムにおいて、前記印刷装置が、前記クライアントコンピュータからの要求に従って前記サーバーコンピュータからリソースを取得するリソース取得手段を備えることを特徴とする印刷システム。【選択図】        図１
2005004322.tif 000002
【特許請求の範囲】
【請求項１】
所定の通信プロトコルに従ってネットワーク通信を行うネットワークに接続された，クライアントコンピュータと各種のリソースを保有するサーバーコンピュータと、前記リソースを印刷する印刷装置から構成される印刷システムにおいて、
前記印刷装置が、前記クライアントコンピュータからの要求に従って前記サーバーコンピュータからリソースを取得するリソース取得手段を備えることを特徴とする印刷システム。
【請求項２】
前記クライアントコンピュータにおいて、ユーザが指定したリンク情報を含んだリソースに対するリンク構造を表示するリンク構造表示手段と、リンク構造表示手段により表示したリンク構造からユーザが印刷対象のリソースを選択するリソース選択手段と、リソース選択手段により選択されたリソースの位置情報とリンク情報を前記印刷装置に送信するリソース情報送信手段を備えることを特徴とする印刷システム。
【請求項３】
前記印刷装置において、前記クライアントコンピュータから送信されたリソース情報を受信するリソース情報受信手段と、リソース情報受信手段により受信したリソース情報を解析し、かつ印刷制御を実行する印刷制御手段と，前記印刷制御手段における解析されたデータで特定されるリソースを前記ネットワークから取得し，該取得したリソースをイメージ展開するイメージ展開手段と，イメージ展開手段により展開したイメージを記録紙に印刷するプリント手段を備えることを特徴とする印刷システム。
【請求項４】
前記印刷制御手段において、リソース情報からリンク構造を作成するリンク構造作成手段を備えることを特徴とする印刷システム。
【請求項５】
前記イメージ展開手段において、イメージ展開した各リソースの印刷枚数を格納する印刷枚数格納手段を備えることを特徴とする印刷システム。
【請求項６】
前記リンク構造作成手段により作成されたリンク構造と各リソースの印刷枚数より求められる各リソースの印刷ページをイメージ展開し、記録紙に印刷するリンク構造プリント手段を備えることを特徴とする印刷システム。
【請求項７】
所定の通信プロトコルに従ってネットワーク通信を行うネットワークに接続された，各種のリソースを保有するサーバーコンピュータと、前記リソースを印刷する印刷装置から構成される印刷システムにおいて、
前記印刷装置が、前記印刷装置からの要求に従って前記サーバーコンピュータからリソースを取得するリソース取得手段を備えることを特徴とする印刷システム。
【請求項８】
前記印刷装置において、ユーザが指定したリンク情報を含んだリソースに対するリンク構造を表示するリンク構造表示手段と、リンク構造表示手段により表示したリンク構造からユーザが印刷対象のリソースを選択するリソース選択手段と、リソース選択手段により選択されたリソースの位置情報とリンク情報に従って印刷制御を実行する印刷制御手段と，前記リソース情報で特定されるリソースを前記ネットワークから取得し，該取得したリソースをイメージ展開するイメージ展開手段と，イメージ展開手段により展開したイメージを記録紙に印刷するプリント手段を備えることを特徴とする印刷システム。
【請求項９】
前記印刷制御手段において、リソース情報からリンク構造を作成するリンク構造作成手段を備えることを特徴とする印刷システム。
【請求項１０】
前記イメージ展開手段において、イメージ展開した各リソースの印刷枚数を格納する印刷枚数格納手段を備えることを特徴とする印刷システム。
【請求項１１】
前記リンク構造作成手段により作成されたリンク構造と各リソースの印刷枚数より求められる各リソースの印刷ページをイメージ展開し、記録紙に印刷するリンク構造プリント手段を備えることを特徴とする印刷システム。
【発明の詳細な説明】
【０００１】
【発明の属する技術分野】
本発明は、印刷システムに関し、特にクライアントコンピュータからの要求に従って取得したリソースを印刷する印刷システムに関する。
【０００２】
【従来の技術】
従来、インターネット上の各種のリソース（ドキュメント、画像等）を取り出して印刷するためには、クライアントコンピュータがＵＲＬ（Ｕｎｉｆｏｒｍ  Ｒｅｓｏｕｒｃｅ  Ｌｏｃａｔｏｒ）を指定してサーバーコンピュータからリソースを取り出し、クライアントコンピュータ上のオペレーティングシステム（ＯＳ）が管理するプリンタドライバによりプリンタ言語に変換して印刷装置に送信するという手順をとっていた（例えば、特許文献１）。また、ＨＴＭＬ（Ｈｙｐｅｒ  Ｔｅｘｔ  Ｍａｒｋｕｐ  Ｌａｎｇｕａｇｅ）ファイルなどのハイパーテキスト情報を含むリソースにおいては、リンク先のリソースもサーバーコンピュータから取り出し、プリンタ言語に変換して印刷を行っている。
【０００３】
【特許文献１】
特開２００１−３４４２３３号公報
【０００４】
【発明が解決しようとする課題】
しかしながら、上記従来の印刷システムでは、印刷すべきリソースの取得からプリンタ言語への変換までの一連の処理がクライアントコンピュータ上で行われていたため、クライアントコンピュータで多くの処理時間を要するとともに処理の負荷が多大であった。また、リンク情報を含むリソースを印刷する場合に、不必要なリソースについても印刷を行うため無駄な印刷が非常に多かった。さらに、印刷するページ数が多くなると、リンク先のリソースがどのページに印刷されたか容易に見つけることができなかった。本発明は、上記に鑑み、クライアントコンピュータ上での処理を軽減するとともに、リンク情報を含むリソースを印刷する場合の無駄な印刷を削減することと、全ての印刷ページからリンク先のリソースの印刷ページを容易に見つけることができる印刷システムを提供することを目的とする。
【０００５】
【課題を解決するための手段】
上記目的を達成するために、請求項１に係る印刷システムにあっては、所定の通信プロトコルに従ってネットワーク通信を行うネットワークに接続された，クライアントコンピュータと各種のリソースを保有するサーバーコンピュータと、前記リソースを印刷する印刷装置から構成される印刷システムにおいて、前記印刷装置が、前記クライアントコンピュータからの要求に従って前記サーバーコンピュータからリソースを取得するリソース取得手段を備えたものである。
【０００６】
また、請求項２に係る印刷システムにあっては、クライアントコンピュータにおいて、ユーザが指定したリンク情報を含んだリソースに対するリンク構造を表示するリンク構造表示手段と、リンク構造表示手段により表示したリンク構造からユーザが印刷対象のリソースを選択するリソース選択手段と、リソース選択手段により選択されたリソースの位置情報とリンク情報を前記印刷装置に送信するリソース情報送信手段を備えたものである。
【０００７】
また、請求項３に係る印刷システムにあっては、印刷装置において、前記クライアントコンピュータから送信されたリソース情報を受信するリソース情報受信手段と、リソース情報受信手段により受信したリソース情報を解析し、かつ印刷制御を実行する印刷制御手段と，前記印刷制御手段における解析データで特定されるリソースを前記ネットワークから取得し，該取得したリソースをイメージ展開するイメージ展開手段と，イメージ展開手段により展開したイメージを記録紙に印刷するプリント手段を備えたものである。
【０００８】
また、請求項４に係る印刷システムにあっては、印刷制御手段において、リソース情報からリンク構造を作成するリンク構造作成手段を備えたものである。
【０００９】
また、請求項５に係る印刷システムにあっては、イメージ展開手段において、イメージ展開した各リソースの印刷枚数を格納する印刷枚数格納手段を備えたものである。
【００１０】
また、請求項６に係る印刷システムにあっては、リンク構造作成手段により作成されたリンク構造と各リソースの印刷枚数より求められる各リソースの印刷ページをイメージ展開し、記録紙に印刷するリンク構造プリント手段を備えたものである。
【００１１】
また、請求項７に係る印刷システムにあっては、所定の通信プロトコルに従ってネットワーク通信を行うネットワークに接続された，各種のリソースを保有するサーバーコンピュータと、前記リソースを印刷する印刷装置から構成される印刷システムにおいて、前記印刷装置が、前記印刷装置からの要求に従って前記サーバーコンピュータからリソースを取得するリソース取得手段を備えたものである。
【００１２】
また、請求項８に係る印刷システムにあっては、前記印刷装置において、ユーザが指定したリンク情報を含んだリソースに対するリンク構造を表示するリンク構造表示手段と、リンク構造表示手段により表示したリンク構造からユーザが印刷対象のリソースを選択するリソース選択手段と、リソース選択手段により選択されたリソースの位置情報とリンク情報に従って印刷制御を実行する印刷制御手段と，前記リソース情報で特定されるリソースを前記ネットワークから取得し，該取得したリソースをイメージ展開するイメージ展開手段と，イメージ展開手段により展開したイメージを記録紙に印刷するプリント手段を備えたものである。
【００１３】
また、請求項９に係る印刷システムにあっては、前記印刷制御手段において、リソース情報からリンク構造を作成するリンク構造作成手段を備えたものである。
【００１４】
また、請求項１０に係る印刷システムにあっては、前記イメージ展開手段において、イメージ展開した各リソースの印刷枚数を格納する印刷枚数格納手段を備えたものである。
【００１５】
また、請求項１１に係る印刷システムにあっては、前記リンク構造作成手段により作成されたリンク構造と各リソースの印刷枚数より求められる各リソースの印刷ページをイメージ展開し、記録紙に印刷するリンク構造プリント手段をたものである。
【００１６】
【発明の実施の形態】
以下、添付の図面を用いて本発明の好適な実施例を説明する。
【００１７】
図１は本実施例のプリンタを含んだシステム構成である。
【００１８】
図１において１０１はホストコンピュータ等の外部機器、１０２は本実施例を適用したレーザビームプリンタである。１０５はイメージデータに基づいて、周知の電子写真プロセスによって感光ドラム上に潜像を形成し、用紙に転写して定着し印字を行うプリンタエンジン部、１０３はプリンタエンジンに接続され、ホストコンピュータ等の外部機器１０１から送られるコードデータ（ＥＳＣコード、各種ＰＤＬ等）を受け、このコードデータにに基づいてドットデータからなるページ情報を生成し、プリンタエンジン１０５に対して所定のインターフェース手段によってイメージデータを送信するプリンタコントローラ部、１０４はユーザ（操作者）とのインターフェースを行うパネル部であり、ユーザはパネル部１０４を操作することによって、プリンタ１０２に所定の動作を指示することができる。
【００１９】
図２は本実施例のプリンタの機構模式図である。
【００２０】
同図において、２０１はプリンタ筐体、２０２は操作パネルである。操作パネル２０２は操作のためのスイッチ及びＬＥＤ表示器、ＬＣＤ表示器が配されている。これは図１において示したパネル部１０４の物理的側面である。２０３はプリンタの印字プロセス制御を行うプリンタエンジン部１０５及び、プリンタ全体の制御とホストコンピュータからのデータを解析し、イメージデータに変換するプリンタコントローラ部１０３が収納される制御ボード収納部である。２１０は用紙を保持する用紙カセットであり、不図示の仕切り板によって電気的に用紙サイズを検知する機構を有する。２１１はカセット給紙クラッチであり、用紙カセット２１０上に裁置された用紙の最上位の用紙一枚のみを分離し、不図示の駆動手段によって分離した用紙を給紙ローラ２１２まで搬送させるカムで、給紙の度に間欠的に回転し、１回転に対応して１枚の用紙を給紙する。２１４はレジストシャッタであり、用紙を押圧して給紙を停止させる。給紙ローラ２１２は、用紙の先端部をレジストシャッタ２１４まで搬送する。２１９は手差し用途例であり、２１５は手差し給紙クラッチである。給紙クラッチ２１５は用紙の先端をレジストシャッタ２１４まで搬送する。以上のような構成によって用紙カセット２１０及び手差し給紙用トレイ２１９から選択的に用紙を給紙することが可能となる。プリンタエンジン部１０５は、プリンタコントローラ部１０３と所定の通信プロトコルによって通信を行い、プリンタコントローラ部１０３からの指示によって、カセット２１０、または手差し用トレイ２１９の中から給紙手段を決定し、印字開始指示によって上記の通り給紙を開始し用紙をレジストシャッタ２１４まで搬送する。２０４はカートリッジであり、感光ドラム２０５及び、不図示のトナー保持部を有する。２０６はレーザドライバ、２０７は回転多面鏡、２０８は反射ミラー、２０９はビームディテクタである。レジストシャッタ２１４まで用紙が搬送されると、プリンタコントローラ部１０３から送られたイメージデータに応じてレーザドライバによってオンオフ駆動される不図示の半導体レーザから発射されるレーザビームは、回転多面鏡２０７により主走査方向に走査され反射ミラーを介して感光ドラム２０５上に導かれ結像し、主走査方向に走査して主走査ライン上に潜像を形成する。このレーザビームの発射に同期してレジストシャッタ２１４は上方に駆動し、用紙の搬送をレーザビームの副走査に同期させる。レーザビームの走査開始時に配置されたビームディテクタ２０９は、レーザビームを検出することによって主走査の画像書出しタイミングを決定するための同期信号を形成し、プリンタコントローラ部１０３に送る。その後用紙は、搬送ローラ２１３によって搬送され、感光ドラムは不図示のモータによって回転駆動され、現像器２２０によってトナー像として顕像化された後、用紙上に転写される。トナー像が転写された用紙はその後、定着ローラ２１６によりトナー像が加熱定着され、搬送ローラ２１７を経て、排紙ローラ２１８によりプリンタ筐体の排紙トレイに排紙される。
【００２１】
図３は、本実施例のプリンタコントローラ部１０３のブロック図である。
【００２２】
同図において、３２０は、様々な機器間でのデータ転送を行うためのネットワークである。３０１は、パネル部１０４とのデータ通信によって、操作者からの諸設定、指示をパネル部１０４から受けとるパネルインターフェイス、３０２は、ネットワーク３２０に接続されるコンピュータ等の外部機器１０１との信号の入出力部であるネットワークインターフェイス、３０３は、プリンタエンジン部１０５との信号の入出力部であるエンジンインターフェイスであり、不図示の出力バッファレジスタからデータ信号送出を行なうとともにプリンタエンジン１０５との通信制御を行なう。３０４は、プリンタコントローラ部１０３全体の制御を司るＣＰＵ、３０５は、ＣＰＵ３０４の制御コードを格納するＲＯＭである。３１０は、ネットワークインターフェース３０２において受信したデータを解析し、所定の処理に振り分けるデータ解析部である。３１１は、指定されたＵＲＬのリソースをネットワークインターフェース３０２を介して取得するとともに、リンクされたＵＲＬの情報を格納するリソース処理部である。３１２は、リソース処理部３１１によって格納されたＵＲＬ情報に従って、リンクページを作成するリンクページ作成部である。３１３は、リソース処理部３１１で取得したリソースと、リンクページ作成部３１２作成されたリンクページのイメージ展開を行うイメージ展開部である。データ解析部３１０、リソース処理部３１１、リンクページ作成部３１２、イメージ展開部３１３はＲＯＭ３０５に格納されている。３０６は、ＣＰＵ３０４の使用する一時記憶用ＲＡＭである。３１５は、ホストインターフェース３０２において受信したデータを一時的に格納しておくための受信バッファである。３１６は、リソース処理部３１１によってＵＲＬ情報を格納するＵＲＬ情報格納メモリである。３１７は、リソース処理部３１１によって取得されたリソースを格納するリソース格納メモリである。３１８は、イメージ処理部３１３によりリソース、リンクページの展開データを格納するためのラスタメモリである。受信バッファ３１５、ＵＲＬ情報格納メモリ３１６、リソース格納メモリ３１７、ラスタメモリ３１８はＲＡＭ３０６である。３０７は、不揮発性のメモリ手段であるＥＥＰＲＯＭである。３０８は、ＤＭＡ制御部でありＣＰＵ３０４からの指示により画像メモリ内のビットマップデータを、エンジンインターフェイス３０３に転送する。３０９は、アドレスバス及びデータバスを持つシステムバスである。パネルインターフェイス３０１、ホストインターフェイス３０２、エンジンインターフェース３０３、ＣＰＵ３０９、ＲＯＭ３０５、ＲＡＭ３０６、ＥＥＰＲＯＭ３０７及びＤＭＡ制御部３０８は、各々システムバス３０９に接続され、システムバス３０９上にある全ての機能部にアクセス可能である。ＣＰＵ３０４を制御する制御コードは、不図示のシステムクロックによってタスクと称されるロードモジュール単位に時分割制御するＯＳと、機能単位に動作する複数のロードモジュール（タスク）によって構成されるものとする。
【００２３】
（実施例１）
図４は、本実施例の印刷システムの構成を示した図である。ネットワーク上からの様々な機器からの要求に従って、リソースを送信するサーバーコンピュータと、ユーザから指定されたＵＲＬに対して、ＵＲＬをデータとした印刷データを作成し、プリンタに送信するクライアントコンピュータと、印刷データで指定されるＵＲＬのリソースを取得し印刷を行う印刷装置から構成される。
【００２４】
図５は、本実施例のクライアントコンピュータにおける処理を示すフローチャートである。ユーザが、ブラウザなどのアプリケーションによりＵＲＬを選択する（Ｓ５０１）と、ネットワーク上からＵＲＬのリソースを取得し（Ｓ５０２）表示する。ユーザが表示されたリソースの印刷を選択すると、選択されたリソースのＵＲＬを格納し（Ｓ５０３）、リンク印刷選択画面を表示し、印刷選択処理を行う（Ｓ５０４）。印刷選択処理終了後、選択された複数のリソースＵＲＬとリンク情報をデータとして印刷データを作成し（Ｓ５０５）、印刷データを送信し（Ｓ５０６）処理を終了する。
【００２５】
図６は、図５のＳ５０４のリンク印刷選択処理について詳細に示したフローチャートである。ユーザにより図１４に示すＡのＵＲＬが選択されると、Ａのリソース内のリンク検索を行い（Ｓ６０１）、ＢとＣのＵＲＬを格納する（Ｓ６０２）。Ａの検索が終了すると、リンクされているＵＲＬの中から未検索のＵＲＬを探し（Ｓ６０３）、格納されたＢのリソースをネットワーク経由で取得し（Ｓ６０４）、Ａ同様に検索してＤのＵＲＬを格納する（Ｓ６０２）。ＣにおいてはＥとＦ、ＤにおいてはＧを格納する（Ｅ，Ｆ，Ｇはリンクがない）。図１７はリンク検索処理により格納されたＵＲＬ情報である。全てのリンクされているＵＲＬの検索が終了すると、格納された図１７のＵＲＬ情報から図１５に示すリンク構造図を表示する（Ｓ６０５）。図１６に示すように表示されたリンク構造図の画面上においてマウスなどにより領域指定し、印刷するＵＲＬを選択する（Ｓ６０６）。Ｆは選択されなかったのでＵＲＬ情報からＦのＵＲＬ情報を削除し（Ｓ６０７）、リンク印刷選択処理を終了する。図１８はリンク印刷選択処理により格納されたＵＲＬ情報であり、図１９は図１８のＵＲＬ情報に従ってＳ５０５において作成された印刷データの一例である。
【００２６】
図７は、本実施例の印刷装置における処理を示すフローチャートである。印刷装置においてデータ受信すると（Ｓ７０１）、データ解析を行い（Ｓ７０２）、ＵＲＬデータかを調べる（Ｓ７０３）。ＵＲＬデータであった場合、ＵＲＬデータで指定されたＵＲＬのリソースページの印刷処理を行い（Ｓ７０４）、さらにリンク構造を印刷するためのリンクページ印刷処理を行う（Ｓ７０５）。一方、ＵＲＬデータでなかった場合は、データに対し所定の処理を施し、イメージ展開して（Ｓ７０６）、印刷する（Ｓ７０７）。
【００２７】
図８は、図７のＳ７０４のリソースページ印刷処理について詳細に示したフローチャートである。ＵＲＬデータで指定されるＵＲＬのリソースをネットワーク経由で取得し（Ｓ８０１）、リソースのイメージ展開後（Ｓ８０２）、印刷を行う（Ｓ８０３）とともに、印刷ページ数をＵＲＬ情報として格納する（Ｓ８０４）。Ｓ８０１〜Ｓ８０５の処理をＵＲＬデータで指定されているＵＲＬの全てに対し行い、リソースページ印刷処理を終了する。図２０はリソースページ印刷処理で格納されたＵＲＬ情報の一例を示す。
【００２８】
図９は、図７のＳ７０５のリンクページ印刷処理について詳細に示したフローチャートである。ページ数を示すｐａｇｅｃｏｕｎｔを１に初期化し（Ｓ９０１）、リソース印刷処理において格納されたＵＲＬ情報があるかどうかを調べる（Ｓ９０２）。格納されているＵＲＬ情報があった場合、ｐａｇｅｃｏｕｎｔを出力する（Ｓ９０３）とともに、ＵＲＬ情報内のページ数を読み出し（Ｓ９０４）、ｐａｇｅｃｏｕｎｔに加算する（Ｓ９０５）。ＵＲＬ情報にリンクしているＵＲＬがあるかを調べ（Ｓ９０６）、リンクしているＵＲＬがあった場合は全てのリンクを出力する（Ｓ９０７）。全てのＵＲＬ情報に対しＳ９０２〜Ｓ９０７の処理を行い、ページ番号とリンク構造データをイメージ展開して（Ｓ９０８）、印刷し（Ｓ９０９）、リンクページ印刷処理を終了する。図２１は図２０のＵＲＬ情報に従って印刷されたリソースとリンク構造図の一例を示し、図２２においてリンク構造図の印刷例を示している。
【００２９】
（実施例２）
実施例１においては、クライアントコンピュータでリンクされたリソースの印刷選択を行っていたが、本実施例においては印刷装置において印刷選択を行う。
【００３０】
図１０は、本実施例の印刷システムの構成を示した図である。ネットワーク上からの要求に従って格納されているＵＲＬを送信するサーバーコンピュータと、ユーザから指定されたＵＲＬに対して、リソースを取得し印刷を行う印刷装置から構成される。
【００３１】
図１１は、本実施例の印刷装置における印刷処理について示したフローチャートである。ユーザが印刷装置のパネルなどを操作して、ＵＲＬ印刷モードの設定を行う（Ｓ１１０１）。ＵＲＬ印刷モードが選択された場合（Ｓ１１０２）、ＵＲＬ入力を促し（Ｓ１１０３）、ユーザが指定したＵＲＬのリソースをネットワーク経由で取得する（Ｓ１１０４）。取得したリソースとＵＲＬを格納し（Ｓ１１０５）、リンク印刷選択処理を行い（Ｓ１１０６）、リソースページ印刷処理（Ｓ１１０７）、リンクページ印刷処理を行い（Ｓ１１０８）、印刷処理を終了する。
【００３２】
図１２は、図１１のＳ１１０６のリンク印刷選択処理について詳細に示したフローチャートである。ユーザによりＵＲＬが選択されると、リソース内のリンク検索を行い（Ｓ１２０１）、ＵＲＬを格納する（Ｓ１２０２）。選択されたリソース内の検索が終了すると、リンクされているＵＲＬの中から未検索のＵＲＬを探し（Ｓ１２０３）、ＵＲＬのリソースをネットワーク経由で取得し（Ｓ１２０４）、リソースを格納する（Ｓ１２０５）。選択されたリソース同様にリソース内の検索をしてリンクされているＵＲＬを格納する（Ｓ１２０２）。全てのリンクされているＵＲＬの検索が終了すると、格納されたＵＲＬ情報からリンク構造図を表示する（Ｓ１２０６）。リンク構造図の画面上においてマウスなどにより領域指定し、印刷するＵＲＬを選択する（Ｓ１２０７）。選択されなかったＵＲＬ情報を削除し（Ｓ１２０８）、リンク印刷選択処理を終了する。
【００３３】
図１３は、図１１のＳ１１０７のリソース印刷ページ印刷処理について詳細に示したフローチャートである。リンク印刷選択処理において格納されたリソースを読み出し（Ｓ１３０１）、リソースのイメージ展開後（Ｓ１３０２）、印刷を行う（Ｓ１３０３）とともに、印刷ページ数を格納する（Ｓ１３０４）。Ｓ１３０１〜Ｓ１３０５の処理を格納された全てのリソースに対し行い、リリースページ印刷処理を終了する。
【００３４】
Ｓ１１０８のリンクページ印刷については、実施例１の図９に示すフローチャートと同じである。
【００３５】
【発明の効果】
以上説明したように、クライアントコンピュータではＵＲＬをデータとした印刷データを作成する処理だけすればいいので、クライアントコンピュータ上での処理を軽減することができる。また、指定したＵＲＬのリソース以下のリンク構造を表示し、ユーザが印刷するリソースを選択できるようになるので、リンク情報を含むリソースを印刷する場合の無駄な印刷を削減することができる。さらに、全てのリソースの印刷のあとにリソース毎の印刷ページ番号を示したリンク構造図を印刷するため、全ての印刷ページからリンク先のリソースの印刷ページを容易に見つけることができる。
【図面の簡単な説明】
【図１】本発明の印刷装置のブロック図。
【図２】本発明の印刷装置のエンジン部を説明する図。
【図３】本発明の印刷装置のコントローラ部の詳細ブロック図。
【図４】実施例１の印刷システムの構成図。
【図５】実施例１のクライアントコンピュータにおける処理を示すフローチャート。
【図６】実施例１のリンク印刷選択処理を示すフローチャート。
【図７】実施例１の印刷装置における処理を示すフローチャート。
【図８】実施例１のリソースページ印刷処理を示すフローチャート。
【図９】実施例１，２のリンクページ印刷処理を示すフローチャート。
【図１０】実施例２の印刷システムの構成図。
【図１１】実施例２の印刷装置における処理を示すフローチャート。
【図１２】実施例２のリンク印刷選択処理を示すフローチャート。
【図１３】実施例２のリソースページ印刷処理を示すフローチャート。
【図１４】実施例１，２の指定したＵＲＬのリソース内容の一例を示した図。
【図１５】実施例１、２の指定したＵＲＬのリンク構造を表示したときの一例を示す図。
【図１６】実施例１、２の印刷するＵＲＬを選択するときの一例を示した図。
【図１７】実施例１、２の格納するＵＲＬ情報の一例を示した図。
【図１８】実施例１，２の印刷選択した後のＵＲＬ情報の一例を示した図。
【図１９】実施例１の印刷装置に送信するＵＲＬの印刷データの一例を示した図。
【図２０】実施例１，２のページ数を格納するＵＲＬ情報の一例を示した図。
【図２１】実施例１，２の印刷結果の一例を示す図。
【図２２】実施例１，２のリンク構造図の印刷結果の一例を示す図。
【図１】
2005004322.tif 000003
【図２】
2005004322.tif 000004
【図３】
2005004322.tif 000005
【図４】
2005004322.tif 000006
【図５】
2005004322.tif 000007
【図６】
2005004322.tif 000008
【図７】
2005004322.tif 000009
【図８】
2005004322.tif 000010
【図９】
2005004322.tif 000011
【図１０】
2005004322.tif 000012
【図１１】
2005004322.tif 000013
【図１２】
2005004322.tif 000014
【図１３】
2005004322.tif 000015
【図１４】
2005004322.tif 000016
【図１５】
2005004322.tif 000017
【図１６】
2005004322.tif 000018
【図１７】
2005004322.tif 000019
【図１８】
2005004322.tif 000020
【図１９】
2005004322.tif 000021
【図２０】
2005004322.tif 000022
【図２１】
2005004322.tif 000023
【図２２】
2005004322.tif 000024